(57)【特許請求の範囲】
【請求項１】
温度、湿度の変化で伸縮する複数のスクリーンから構成され、映像発生源より発せられた映像光が投写される透過形スクリーンにおいて、
第１のスクリーンと、
前記第１のスクリーンより相対的に低剛性の第２のスクリーンと
を備え、前記第１のスクリーンに高温又は／且つ高湿中にて伸長した状態の第２のスクリーンを固定したことを特徴とする透過形スクリーン。
【請求項２】
温度、湿度の変化で伸縮する複数のスクリーンから構成され、映像発生源より発せられた映像光が投写される透過形スクリーンにおいて、
第１のスクリーンと、
前記第１のスクリーンより相対的に低剛性の第２のスクリーンと
を備え、低温又は／且つ低湿中にて収縮した状態の第１のスクリーンに前記第２のスクリーンを固定したことを特徴とする透過形スクリーン。
【請求項３】
温度、湿度の変化で伸縮する複数のスクリーンから構成され、映像発生源より発せられた映像光が投写される透過形スクリーンにおいて、
第１のスクリーンと、
前記第１のスクリーンより相対的に低剛性の第２のスクリーンと
を備え、低温又は／且つ低湿中にて収縮した状態の第１のスクリーンに、高温又は／且つ高湿中にて伸長した状態の第２のスクリーンを固定したことを特徴とする透過形スクリーン。
【請求項４】
温度、湿度の変化で伸縮する複数のスクリーンから構成され、映像発生源より発せられた映像光が投写される透過形スクリーンにおいて、
膨張係数がαの第１のスクリーンと、
膨張係数がβであって前記第１のスクリーンより相対的に低剛性の第２のスクリーンと
を備え、前記膨張係数α，βが
α＜β
の関係にあるとき、前記第１のスクリーンに第２のスクリーンを、高温又は／且つ高湿中にて固定したことを特徴とする透過形スクリーン。
【請求項５】
温度、湿度の変化で伸縮する複数のスクリーンから構成され、映像発生源より発せられた映像光が投写される透過形スクリーンにおいて、
膨張係数がαの第１のスクリーンと、
膨張係数がβであって前記第１のスクリーンより相対的に低剛性の第２のスクリーンと
を備え、前記膨張係数α，βが
α＞β
の関係にあるとき、前記第１のスクリーンに第２のスクリーンを、低温又は／且つ低湿中にて固定したことを特徴とする透過形スクリーン。
【請求項６】
前記第１、第２のスクリーンの上下２辺、左右２辺、又は４辺を互いに固定する固定手段を備えたことを特徴とする請求項１乃至５のいずれかに記載の透過形スクリーン。
【請求項７】
前記第１、第２のスクリーンは、一方がフレネルレンズシート、他方がレンチキュラーレンズシートからなることを特徴とする請求項１乃至６のいずれかに記載の透過形スクリーン。
【請求項８】
映像発生源より発せられた映像光を透過形スクリーンに投写する投写型表示装置において、
温度、湿度の変化で伸縮するスクリーンと、
前記スクリーンより相対的に高剛性の材料からなるスクリーン保持手段と
を備え、高温又は／且つ高湿中にて伸長した状態の前記スクリーンを、前記保持手段によって保持してなることを特徴とする投写型表示装置。
【請求項９】
映像発生源より発せられた映像光を透過形スクリーンに投写する投写型表示装置において、
温度、湿度の変化で伸縮するスクリーンと、
前記スクリーンより相対的に高剛性の材料からなるスクリーン保持手段と
を備え、低温又は／且つ低湿中にて収縮した状態の前記保持手段によって、前記スクリーンを保持してなることを特徴とする投写型表示装置。
【請求項１０】
映像発生源より発せられた映像光を透過形スクリーンに投写する投写型表示装置において、
温度、湿度の変化で伸縮するスクリーンと、
前記スクリーンより相対的に高剛性の材料からなるスクリーン保持手段と
を備え、高温又は／且つ高湿中にて伸長した状態の前記スクリーンを、低温又は／且つ低湿中にて収縮した状態の前記保持手段によって、保持してなることを特徴とする投写型表示装置。
【請求項１１】
映像発生源より発せられた映像光を透過形スクリーンに投写する投写型表示装置において、
前記透過形スクリーンを構成する膨張係数がβのスクリーンと、
膨張係数がγであって前記スクリーンより相対的に高剛性の材料からなるスクリーン保持手段と
を備え、前記膨張係数β，γが
β＞γ
の関係にあるとき、前記保持手段によって前記スクリーンを、高温又は／且つ高湿中にて保持してなることを特徴とする投写型表示装置。
【請求項１２】
映像発生源より発せられた映像光を透過形スクリーンに投写する投写型表示装置において、
前記透過形スクリーンを構成する膨張係数がβのスクリーンと、
膨張係数がγであって前記スクリーンより相対的に高剛性の材料からなるスクリーン保持手段と
を備え、前記膨張係数β，γが
β＜γ
の関係にあるとき、前記保持手段によって前記スクリーンを、低温又は／且つ低湿中にて保持してなることを特徴とする投写型表示装置。
【請求項１３】
前記スクリーンの上下２辺、左右２辺、又は４辺をそれぞれ前記スクリーン保持手段に固定する固定手段を備えたことを特徴とする請求項８乃至１２のいずれかに記載の投写型表示装置。
【請求項１４】
請求項１乃至７のいずれかに記載の透過形スクリーンと、
前記第２のスクリーンより相対的に高剛性の材料からなるスクリーン保持手段と
を備え、高温又は／且つ高湿中にて伸長した状態の前記透過形スクリーンを、前記保持手段によって保持してなることを特徴とする投写型表示装置。
【請求項１５】
請求項１乃至７のいずれかに記載の透過形スクリーンと、
前記第２のスクリーンより相対的に高剛性の材料からなるスクリーン保持手段と
を備え、低温又は／且つ低湿中にて収縮した状態の前記保持手段によって、前記透過形スクリーンを保持してなることを特徴とする投写型表示装置。
【請求項１６】
請求項１乃至７のいずれかに記載の透過形スクリーンと、
前記第２のスクリーンより相対的に高剛性の材料からなるスクリーン保持手段と
を備え、高温又は／且つ高湿中にて伸長した状態の前記透過形スクリーンを、低温又は／且つ低湿中にて収縮した状態の前記保持手段によって、保持してなることを特徴とする投写型表示装置。
【請求項１７】
請求項１乃至７のいずれかに記載の透過形スクリーンと、
膨張係数がγであって前記第２のスクリーンより相対的に高剛性の材料からなるスクリーン保持手段と
を備え、前記第２のスクリーンの膨張係数βと前記膨張係数γが
β＞γ
の関係にあるとき、前記保持手段によって前記透過形スクリーンを、高温又は／且つ高湿中にて保持してなることを特徴とする投写型表示装置。
【請求項１８】
請求項１乃至７のいずれかに記載の透過形スクリーンと、
膨張係数がγであって前記第２のスクリーンより相対的に高剛性の材料からなるスクリーン保持手段と
を備え、前記第２のスクリーンの膨張係数βと前記膨張係数γが
β＜γ
の関係にあるとき、前記保持手段によって前記透過形スクリーンを、低温又は／且つ低湿中にて保持してなることを特徴とする投写型表示装置。
【請求項１９】
前記第２のスクリーンの上下２辺、左右２辺、又は４辺をそれぞれ前記保持手段に固定する固定手段を備えたことを特徴とする請求項１４乃至１８のいずれかに記載の投写型表示装置。
【請求項２０】
前記透過形スクリーンは、フィルム状のシートを少なくとも１枚含む構成であることを特徴とする請求項１４乃至１９のいずれかに記載の投写型表示装置。
【発明の詳細な説明】
【０００１】
【発明の属する技術分野】
この発明は、透過形スクリーン、及び映像発生源より発せられた映像光を透過形スクリーンに投写する投写型表示装置に関する。
【０００２】
【従来の技術】
図８は従来の透過形スクリーンを用いた背面投写型表示装置の基本構成を示す垂直断面図、図９は図８中の線ａ−ａ′に沿う水平断面図である。これらの図において、１は例えばビデオプロジェクタなどの映像発生源、２は映像発生源１より発せられた映像光を透過及び結像させる透過形スクリーン、３、４はそれぞれ上記透過形スクリーン２を構成するフレネルレンズシートとレンチキュラーレンズシート、５は上記透過形スクリーン２を一体に保持する保持部材である。
【０００３】
このような従来の透過形スクリーンを用いた背面投写型表示装置においては、映像発生源１より映像光が発生すると、その光線は拡大投写されながら透過形スクリーン２へ向かう。光線がフレネルレンズシー卜３に発散光として到達すると、図９に示すようにほぼ平行光に屈折され、その後レンチキュラーレンズシート４に入射して結像する。レンチキュラーレンズシート４からの出射光線は、水平、垂直方向に適度に拡散され、スクリーンに正対する観測者に画像として到達する。
【０００４】
従来の透過形スクリーンは、フレネルレンズシート３とレンチキュラーレンズシート４が重ね合わせられたもので、例えばスクリーンフレームや背面投写型表示装置のキャビネットなどの保持部材５に固定して保持されている。
【０００５】
また、フレネルレンズシート３とレンチキュラーレンズシート４には、いずれも光の透過性や適度な剛性や量産性などを考慮して、通常はアクリル系樹脂やポリカーボネート樹脂等が使用される。
【０００６】
【発明が解決しようとする課題】
従来の透過形スクリーンを備えた背面投写型表示装置は、以上のように構成されているのでスクリーン２を構成したときに、フレネルレンズシート３、レンチキュラーレンズシート４の両者、或いはいずれか一方の厚さが薄い場合、以下に述べる理由から２枚のシート３、４が互いに密着せず離れてしまい、スクリーン２の一部分に、或いは全体的に浮き（以下、セパレーションという。）が生じてしまう。
【０００７】
セパレーションは、スクリーン組み立て前のシート成型工程で、既にスクリーンに歪みが発生し、組み立て後もその歪みがなくならないために生じることがある。このようなセパレーションの原因としては、スクリーンの成型条件のばらつき等でシート成型工程で内部応力や歪みが生じ、成型完了時点でスクリーン２が歪んでしまうことや、スクリーン成型後から組み立てまでの間の温度や湿度等の環境変化で、スクリーン２が歪んでしまうことが挙げられる。また、スクリーン組み立て後にセパレーションが生じる場合もある。これは、透過形スクリーン２の組み立て後に投写型表示装置が設置された環境の変化等に起因するもので、具体的には、２枚のシートの膨張率の違いによって各々の伸び縮みの量が異なることによる。これらの現象は、特にスクリーン２が薄くて、剛性が低い場合には一層顕著に現れる。
【０００８】
透過形スクリーン２は、映像発生源１に対して所定の位置関係に配置された時に最適な画像が投影されるように設計される。また、透過形スクリーン２が２枚以上のシートで構成される場合には、各シート相互の位置関係が密着した時に、或いは両者が所定の位置関係の時に最適となるように設計されている。そのため、セパレーションが発生した場合には、投影された画像の解像度劣化や部分的な色付きが発生するなど、スクリーン本来の機能が損われるという問題があった。その原因には、上述したように、初期性能的なものと、スクリーン組み立て後の経時的な変化に起因するものとがある。
【０００９】
従来から、以下に述べる２つの方法が、これらの問題を解決するために採用されていた。
【００１０】
その一つは、フレネルレンズシート３又は／且つレンチキュラーレンズシート４の厚さを厚く形成する方法である。また、他の方法としては、例えば実開平４−１２９１５０号公報に記載されているように、例えばアクリル板やガラス板のような透過性平板を、レンチキュラーレンズシート４の観測者側に設置するなどして、透過形スクリーン２全体として適度な剛性を持たせる方法が考えられていた。
【００１１】
しかしながら、フレネルレンズシート３やレンチキュラーレンズシート４を厚く形成する第１の方法では、フレネルレンズシート３、レンチキュラーレンズシート４のレンズ設計の自由度が制限されるため、透過形スクリーン２としての必要な性能が得られなかったり、透過形スクリーン２の内部で発生する迷光の影響が大きくなって、そこに投写される映像の画質を著しく劣化させてしまうという問題が生じる。
【００１２】
まず、このスクリーンの厚さと迷光が映像に与える影響との関係について説明する。
【００１３】
図１０、図１１は迷光が映像に与える影響度の違いを説明するためのものであり、いずれも図８中の透過形スクリーン２の垂直断面を示す一部拡大図である。図１０にはフレネルレンズスシート３がレンチキュラーレンズシート４の厚さより厚い場合を、図１１にはフレネルレンズシート３が相対的に薄い場合を示している。また、図中では実線矢印によって映像光の軌跡（の一部）を示し、破線矢印によってフレネルレンズシート３の出射面側の空気界面で発生した迷光の軌跡（の一部）を示している。ここに示されている迷光は一例であって、透過形スクリーン２内部で発生する迷光には、他にも多くの種類が存在する。
【００１４】
上記迷光はフレネルレンズシート３の入射面側の空気界面で再び反射して、フレネルレンズシート３の出射面からレンチキュラーレンズシート４を介して観測者に到達する。フレネルレンズシート３の厚さが厚い場合（図１０）、上記迷光の光路はその本来の映像光とはかなり離れて位置する映像光と重なるため、画像の解像度やコントラストが大きく劣化する。しかし、図１１に示すように、フレネルレンズシート３の厚さが薄い場合に生じる迷光は、その本来の映像光にほとんど重なるか、あるいは近傍の経路を通って観測者に到達するようになる。したがって、フレネルレンズシート３の厚さが薄くなればなる程、迷光の影響による映像光の劣化は小さくなる。
【００１５】
次に、透過形スクリーン２に対して全体として適度な剛性を持たせる第２の方法では、透過性平板等がレンチキュラーレンズシート４の観測者側に設置される。しかし、この場合も、一つには、映像光が透過性平板の内部を透過するときに減衰されるという問題があった。また、図１０で説明した現象と同様、透過性平板と空気との界面で反射光が発生することにより、透過性平板の内部でも迷光が発生し、映像光を著しく劣化させてしまうという問題もあった。
【００１６】
このように、従来の透過形スクリーンを備えた背面投写型表示装置において、セパレーションの問題を解決するための２つの方法は、いずれも映像の劣化等の問題を確実に解決できなかった。
【００１７】
この発明は上記のような問題点を解消するためになされたもので、透過形スクリーンまたは保持部材の環境変化による各々の膨張収縮の差を利用することで、厚さの薄い透過形スクリーンを使用した場合でも、透過形スクリーンのセパレーションや位置の変化を防ぎ、映像の劣化の少ない投写型表示装置を得ることを目的とする。
【００１８】
【課題を解決するための手段】
請求項１の透過形スクリーンは、温度、湿度の変化で伸縮する複数のスクリーンから構成され、映像発生源より発せられた映像光が投写される透過形スクリーンにおいて、第１のスクリーンと、第１のスクリーンより相対的に低剛性の第２のスクリーンとを備え、第１のスクリーンに高温又は／且つ高湿中にて伸長した状態の第２のスクリーンを固定したものである。
【００１９】
請求項２の透過形スクリーンは、温度、湿度の変化で伸縮する複数のスクリーンから構成され、映像発生源より発せられた映像光が投写される透過形スクリーンにおいて、第１のスクリーンと、第１のスクリーンより相対的に低剛性の第２のスクリーンとを備え、低温又は／且つ低湿中にて収縮した状態の第１のスクリーンに第２のスクリーンを固定したものである。
【００２０】
請求項３の透過形スクリーンは、温度、湿度の変化で伸縮する複数のスクリーンから構成され、映像発生源より発せられた映像光が投写される透過形スクリーンにおいて、第１のスクリーンと、第１のスクリーンより相対的に低剛性の第２のスクリーンとを備え、低温又は／且つ低湿中にて収縮した状態の第１のスクリーンに、高温又は／且つ高湿中にて伸長した状態の第２のスクリーンを固定したものである。
【００２１】
請求項４の透過形スクリーンは、温度、湿度の変化で伸縮する複数のスクリーンから構成され、映像発生源より発せられた映像光が投写される透過形スクリーンにおいて、膨張係数がαの第１のスクリーンと、膨張係数がβであって第１のスクリーンより相対的に低剛性の第２のスクリーンとを備え、膨張係数α，βが
α＜β
の関係にあるとき、第１のスクリーンに第２のスクリーンを、高温又は／且つ高湿中にて固定したものである。
【００２２】
請求項５の透過形スクリーンは、温度、湿度の変化で伸縮する複数のスクリーンから構成され、映像発生源より発せられた映像光が投写される透過形スクリーンにおいて、膨張係数がαの第１のスクリーンと、膨張係数がβであって第１のスクリーンより相対的に低剛性の第２のスクリーンとを備え、膨張係数α，βが
α＞β
の関係にあるとき、第１のスクリーンに第２のスクリーンを、低温又は／且つ低湿中にて固定したものである。
【００２３】
請求項６の透過形スクリーンは、第１、第２のスクリーンの上下２辺、左右２辺、又は４辺を互いに固定する固定手段を備えたものである。
【００２４】
請求項７の透過形スクリーンは、第１、第２のスクリーンは、一方がフレネルレンズシート、他方がレンチキュラーレンズシートからなるものである。
【００２５】
請求項８の投写型表示装置は、映像発生源より発せられた映像光を透過形スクリーンに投写する投写型表示装置において、温度、湿度の変化で伸縮するスクリーンと、スクリーンより相対的に高剛性の材料からなるスクリーン保持手段とを備え、高温又は／且つ高湿中にて伸長した状態のスクリーンを、保持手段によって保持してなるものである。
【００２６】
請求項９の投写型表示装置は、映像発生源より発せられた映像光を透過形スクリーンに投写する投写型表示装置において、温度、湿度の変化で伸縮するスクリーンと、スクリーンより相対的に高剛性の材料からなるスクリーン保持手段とを備え、低温又は／且つ低湿中にて収縮した状態の保持手段によって、スクリーンを保持してなるものである。
【００２７】
請求項１０の投写型表示装置は、映像発生源より発せられた映像光を透過形スクリーンに投写する投写型表示装置において、温度、湿度の変化で伸縮するスクリーンと、スクリーンより相対的に高剛性の材料からなるスクリーン保持手段とを備え、高温又は／且つ高湿中にて伸長した状態のスクリーンを、低温又は／且つ低湿中にて収縮した状態の保持手段によって、保持してなるものである。
【００２８】
請求項１１の投写型表示装置は、映像発生源より発せられた映像光を透過形スクリーンに投写する投写型表示装置において、透過形スクリーンを構成する膨張係数がβのスクリーンと、膨張係数がγであってスクリーンより相対的に高剛性の材料からなるスクリーン保持手段とを備え、膨張係数β，γが
β＞γ
の関係にあるとき、保持手段によってスクリーンを、高温又は／且つ高湿中にて保持してなるものである。
【００２９】
請求項１２の投写型表示装置は、映像発生源より発せられた映像光を透過形スクリーンに投写する投写型表示装置において、透過形スクリーンを構成する膨張係数がβのスクリーンと、膨張係数がγであってスクリーンより相対的に高剛性の材料からなるスクリーン保持手段とを備え、膨張係数β，γが
β＜γ
の関係にあるとき、保持手段によってスクリーンを、低温又は／且つ低湿中にて保持してなるものである。
【００３０】
請求項１３の投写型表示装置は、透過形スクリーンの上下２辺、左右２辺、又は４辺をそれぞれ保持手段に固定する固定手段を備えたものである。
【００３１】
請求項１４の投写型表示装置は、請求項１乃至７のいずれかに記載の透過形スクリーンと、第２のスクリーンより相対的に高剛性の材料からなるスクリーン保持手段とを備え、高温又は／且つ高湿中にて伸長した状態の透過形スクリーンを、保持手段によって保持してなるものである。
【００３２】
請求項１５の投写型表示装置は、請求項１乃至７のいずれかに記載の透過形スクリーンと、第２のスクリーンより相対的に高剛性の材料からなるスクリーン保持手段とを備え、低温又は／且つ低湿中にて収縮した状態の保持手段によって、透過形スクリーンを保持してなるものである。
【００３３】
請求項１６の投写型表示装置は、請求項１乃至７のいずれかに記載の透過形スクリーンと、第２のスクリーンより相対的に高剛性の材料からなるスクリーン保持手段とを備え、高温又は／且つ高湿中にて伸長した状態の透過形スクリーンを、低温又は／且つ低湿中にて収縮した状態の保持手段によって、保持してなるものである。
【００３４】
請求項１７の投写型表示装置は、請求項１乃至７のいずれかに記載の透過形スクリーンと、膨張係数がγであって第２のスクリーンより相対的に高剛性の材料からなるスクリーン保持手段とを備え、第２のスクリーンの膨張係数βと膨張係数γが
β＞γ
の関係にあるとき、保持手段によって透過形スクリーンを、高温又は／且つ高湿中にて保持してなるものである。
【００３５】
請求項１８の投写型表示装置は、請求項１乃至７のいずれかに記載の透過形スクリーンと、膨張係数がγであって第２のスクリーンより相対的に高剛性の材料からなるスクリーン保持手段とを備え、第２のスクリーンの膨張係数βと膨張係数γが
β＜γ
の関係にあるとき、保持手段によって透過形スクリーンを、低温又は／且つ低湿中にて保持してなるものである。
【００３６】
請求項１９の投写型表示装置は、第２のスクリーンの上下２辺、左右２辺、又は４辺をそれぞれ保持手段に固定する固定手段を備えたものである。
【００３７】
請求項２０の投写型表示装置は、透過形スクリーンは、フィルム状のシートを少なくとも１枚含むものである。
【００３８】
【発明の実施の形態】
以下、添付した図面を参照して、この発明の実施の形態を説明する。
【００３９】
実施の形態１．
図１は、この発明の実施の形態１による透過形スクリーンを用いた背面投写型表示装置の基本構成を示す垂直断面図である。図において、映像発生源１、透過形スクリーン２、及び保持部材５の構成は、従来の図８に示すものと同じである。６はフレネルレンズシートからなる第１のスクリーン、７はレンチキュラーレンズシートからなる第２のスクリーンである。これら透過形スクリーン２を構成する２枚のスクリーン６、７の内、第１のスクリーン６は相対的に高剛性のスクリーンであって、第２のスクリーン７は相対的に低剛性のスクリーンである。
【００４０】
なお、ここでは便宜上、映像発生源１に近い方から順に、相対的に高剛性のスクリーン６、相対的に低剛性のスクリーン７を配置しているが、これらの配置は逆であってもよい。また、第１、第２のスクリーン６、７には、いずれも光の透過性や適度な剛性や量産性などを考慮して、通常はアクリル系樹脂やポリカーボネート樹脂等が使用されるが、温度湿度により膨張収縮する性質があれば、その他の物質も使用できる。
【００４１】
図２は、実施の形態１の投写型表示装置における透過形スクリーンの取り付け方法を示す概念図である。図には、スクリーンの伸び縮みに関与する力の大きさと方向を、矢印によって示してある。同図（ａ）において、８は定温度又は／且つ定湿度を保持することが可能な定温定湿槽であり、その中に第２のスクリーン７を設置する。同図（ｂ）〜（ｄ）において、９は第１、第２のスクリーン６、７を互いに所定の位置関係に固定するための固定手段である。
【００４２】
次に、図２を用いて背面投写型表示装置に使用されるスクリーン６、７について説明する。同図（ａ）に示すように、高温又は／且つ高湿に保った定温定湿槽８内であらかじめ第２のスクリーン７を、所定の時間だけ高温又は／且つ高湿の雰囲気に曝しておく。アクリル等の一般のプラスティックは、温度と湿度の上昇により伸びる性質を有するから、定温定湿槽８内で第２のスクリーン７は温度と湿度の上昇に応じて伸長している。この伸長した状態の第２のスクリーン７を定温定湿槽８から取り出し、その直後に常温常湿で、固定手段９によって第１のスクリーン６と固定する。その後、第２のスクリーン７の温度が徐々に低下して、図２（ｂ）に矢印で示すように、常温になったときには第２のスクリーン７には縮む方向の力が加わることになる。
【００４３】
すなわち、透過形スクリーンはその後の時間の経過にともなって、伸びていた相対的に低剛性のスクリーン７が、常温常湿に戻って安定する過程で縮もうとする。しかし、高剛性の第１のスクリーン６は温度湿度の変化に曝されていないので、伸び縮みの変化はなく、透過形スクリーン２には第１のスクリーン６から第２のスクリーン７に対して外側に引っ張る方向の相対的なテンションが常に加わえられる。その結果、相対的に低剛性の第２のスクリーン７にしわが寄らず、或いは透過形スクリーン２の一部分に、或いは全体的にセパレーションが生じたりすることがなくなって、映像の劣化の少ない背面投写型表示装置が得られる。
【００４４】
また、この実施の形態１の背面投写型表示装置は、第２のスクリーン８が常温常湿に戻った初期時点だけでなく、その後の環境が変化した場合においても、映像の劣化の少ない透過形スクリーンとして維持されるという利点を有している。
【００４５】
図２（ｃ）には、その後の透過形スクリーンの温度、湿度が高くなった場合の、第１、第２のスクリーンに働く力を示している。このように環境が変化すると、相対的に低剛性である第２のスクリーン７には、未だ縮む方向に力が加わっているが、相対的に高剛性である第１のスクリーン６に対しては伸びる方向に力が加わる。そのため、組み立て後に温度、湿度の環境が常温常湿より少しだけ高くなっても、相対的に低剛性のスクリーン７にしわが寄ったり、セパレーションが生じたりすることがない。
【００４６】
図２（ｄ）には、その後の透過形スクリーンの温度、湿度が低くなった場合の、第１、第２のスクリーンに働く力を示している。このように環境が変化すると、相対的に低剛性である第２のスクリーン７、相対的に高剛性である第１のスクリーン６には、共に縮む方向の力が加わるが、両者の力の大きさを比較すると、第２のスクリーン７に加わる縮む力の方が大きい。そのため、組み立て後に温度、湿度の環境が常温常湿より低くなっても、相対的に低剛性のスクリーン７にしわが寄ったり、セパレーションが生じたりすることがない。
【００４７】
定温定湿槽８での設定温度、設定湿度は、第２のスクリーン７の伸び量に応じて決定すればよい。たとえば、アクリルの熱による線膨張係数が７×１０−５（／℃）、吸湿による線膨張係数が４×１０−５（％／％Ｒ．Ｈ）であるとすれば、定温定湿槽８の温度が常温より３０℃高く設定されていると、第２のスクリーン７は約０．２％だけ長くなることが知られている。これは、第２のスクリーン７が２ｍの長さ（幅）のものであれば、その長さ（幅）が４ｍｍだけ伸びることに相当する。
【００４８】
なお、図２では伸長した状態の第２のスクリーン７を、相対的に高剛性である第１のスクリーン６に固定した場合を図示しているが、伸長した状態の第２のスクリーン７を、相対的に高剛性の保持部材５に固定して保持する場合でも、同様の効果を奏する。
【００４９】
また、以上に説明した実施の形態１では、透過形スクリーンが２枚のスクリーンからなる背面投写型表示装置について説明したが、透過形スクリーンを３枚以上のスクリーンで構成した場合でも、同様の効果が得られる。
【００５０】
実施の形態２．
実施の形態１では、あらかじめ定温定湿槽８において、相対的に低剛性である第２のスクリーン７が、高温又は／且つ高湿の雰囲気に曝されて、伸長した状態にあった。これに対して、実施の形態２の背面投写型表示装置では、相対的に高剛性である第１のスクリーン６を、低温又は／且つ低湿の雰囲気にあらかじめ曝して収縮した状態で、第２のスクリーンに固定することによって、実施の形態１のものと同様の効果を得るようにしている。
【００５１】
図３は、実施の形態２の背面投写型表示装置における透過形スクリーンの取り付け方法を示す概念図である。実施の形態１の場合とは反対に、低温又は／且つ低湿に保った定温定湿槽８内で、相対的に高剛性である第１のスクリーン６を所定の時間だけ曝して、収縮した状態にしておく。アクリル等の一般のプラスティックは、温度と湿度の下降により縮む性質を有するからである。この収縮した状態の第１のスクリーン６を定温定湿槽８から取り出し、その直後に常温常湿で、固定手段９によって第２のスクリーン７と固定する。その後、第１のスクリーン６の温度は徐々に上昇して、図３（ｂ）に矢印で示すように、常温になったときにこの第１のスクリーン６には伸びる方向の力が加わることになる。
【００５２】
すなわち、透過形スクリーンはその後の時間の経過にともなって、縮んでいた相対的に高剛性のスクリーン６が、常温常湿に戻って安定する過程で伸びようとする。しかし、低剛性の第２のスクリーン７は温度湿度の変化に曝されていないので、伸び縮みの変化はなく、透過形スクリーンには第１のスクリーン６から第２のスクリーン７に対して外側に引っ張る方向の相対的なテンションが常に加わえられる。その結果、相対的に低剛性の第２のスクリーン７にしわが寄らず、或いは透過形スクリーン２の一部分に、或いは全体的にセパレーションが生じたりすることがなくなって、映像の劣化の少ない背面投写型表示装置が得られる。
【００５３】
また、実施の形態１と同様に、実施の形態２の背面投写型表示装置は、第２のスクリーン８が常温常湿に戻った初期時点だけでなく、その後の環境が変化した場合においても、映像の劣化の少ない透過形スクリーンとして維持されるという利点を有している。
【００５４】
図３（ｃ）には、その後の透過形スクリーンの温度、湿度が高くなった場合の、第１、第２のスクリーンに働く力を示している。このように環境が変化すると、相対的に低剛性である第２のスクリーン７には、第１のスクリーン６と共に伸びる方向に力が加わるが、両者の力の大きさを比較すると、最初に収縮した状態にある第１のスクリーン６に加わる伸びる力の方が大きい。そのため、組み立て後に温度、湿度の環境が常温常湿より高くなっても、相対的に低剛性のスクリーン７にしわが寄ったり、セパレーションが生じたりすることがない。
【００５５】
図３（ｄ）には、その後の透過形スクリーンの温度、湿度が常温常湿より少し低くなった場合の、第１、第２のスクリーンに働く力を示している。このように環境が変化すると、相対的に低剛性である第２のスクリーン７には縮む方向に力が加わる。しかし、相対的に高剛性である第１のスクリーン６はまだ伸びようとするため、組み立て後に温度、湿度の環境が常温常湿より少し低くなっても、相対的に低剛性のスクリーン７にしわが寄ったり、セパレーションが生じたりすることがない。
【００５６】
なお、以上に説明した実施の形態２では、透過形スクリーンが２枚のスクリーンからなる背面投写型表示装置について説明したが、透過形スクリーンを３枚以上のスクリーンで構成した場合でも、同様の効果が得られる。
【００５７】
実施の形態３．
実施の形態１では、相対的に低剛性のスクリーン７だけを高温又は／且つ高湿に曝して、伸長した状態として常温常湿内で相対的に高剛性のスクリーン６に固定していた。
【００５８】
また、実施の形態２では、相対的に高剛性のスクリーン６だけを低温又は／且つ低湿に曝して、収縮した状態として常温常湿内で相対的に低剛性のスクリーン７に固定していた。
【００５９】
実施の形態３の背面投写型表示装置における透過形スクリーンは、あらかじめ定温定湿槽８において、相対的に高剛性のスクリーン６を低温又は／且つ低湿に曝し、且つ、相対的に低剛性である第２のスクリーン７を高温又は／且つ高湿の雰囲気に曝して、その後に、常温常湿内で両者を固定しているので、同様の効果が得られる。すなわち、相対的に低剛性のスクリーン７にしわが寄ったり、セパレーションが生じたりすることがない。
【００６０】
なお、以上に説明した実施の形態３では、透過形スクリーンが２枚のスクリーンからなる背面投写型表示装置について説明したが、透過形スクリーンを３枚以上のスクリーンで構成した場合でも、同様の効果が得られる。
【００６１】
実施の形態４．
実施の形態４の背面投写型表示装置では、相対的に低剛性である第２のスクリーン７の膨張係数βが、相対的に高剛性である第１のスクリーン６の膨張係数αより大きい（β＞α）場合に、これらのスクリーン６、７を高温又は／且つ高湿中にて互いに固定手段９により固定することによって、実施の形態１のものと同様の効果を得るようにしている。
【００６２】
図４は、実施の形態４の背面投写型表示装置における透過形スクリーンの取り付け方法を示す概念図である。図には、スクリーンの伸び縮みに関与する力の大きさと方向を、矢印によって示してある。
【００６３】
同図（ａ）に示すように、高温又は／且つ高湿に保った定温定湿槽８内であらかじめ、相対的に低剛性のスクリーン７と、相対的に高剛性のスクリーン６とを、所定の時間だけ高温又は／且つ高湿の雰囲気に曝しておく。すると、相対的に高剛性のスクリーン６も、相対的に低剛性のスクリーン７も、温度と湿度の上昇に応じて伸長している。この時、第１のスクリーン６の膨張係数αと、第２のスクリーン７の膨張係数βとが
α＜β
の関係にあれば、相対的に低剛性のスクリーン７の方がより大きく伸長した状態になっている。そこで、各スクリーン６、７が所望の伸び量に達した時に、この定温定湿槽８内で各スクリーン６、７を互いに固定手段９により固定する。
【００６４】
その後、互いに固定された状態のスクリーン６、７を定温定湿槽８から取り出すと、第１、第２のスクリーンが常温常湿に戻り安定する過程で、図４（ｂ）に矢印で示すように、共に縮む方向の力が加わる。しかし、両者の力の大きさを比較すると、相対的に低剛性のスクリーン７の膨張係数が大きく、より大きく伸びていたことから、この第２のスクリーン７に加わる縮む力の方が大きい。そのため、常温常湿に戻した時には、高剛性の第１のスクリーン６から、相対的に低剛性のスクリーン７を外側に引っ張る方向に常にテンションが加わえられる。その結果、相対的に低剛性の第２のスクリーン７にしわが寄らず、或いは透過形スクリーンの一部分に、或いは全体的にセパレーションが生じたりすることがなくなって、映像の劣化の少ない背面投写型表示装置が得られる。
【００６５】
また、実施の形態１と同様に、実施の形態４の背面投写型表示装置は、第２のスクリーン８が常温常湿に戻った初期時点だけでなく、その後の環境が変化した場合においても、映像の劣化の少ない透過形スクリーンとして維持されるという利点を有している。
【００６６】
図４（ｃ）には、その後の透過形スクリーンの温度、湿度が常温常湿より少し高くなった場合の、第１、第２のスクリーンに働く力を示している。このように環境が変化すると、相対的に低剛性である第２のスクリーン７は、まだ縮む方向に力が加わるが、相対的に高剛性である第１のスクリーン６には殆ど力が加わらない。そのため、温度、湿度の環境が常温常湿より少しだけ高くなっても、相対的に低剛性のスクリーン７にしわが寄ったり、セパレーションが生じたりすることがない。
【００６７】
図４（ｄ）には、その後の透過形スクリーンの温度、湿度が低くなった場合の、第１、第２のスクリーンに働く力を示している。このように環境が変化すると、相対的に低剛性である第２のスクリーン７、相対的に高剛性である第１のスクリーン６には、共に縮む方向に更に大きな力が加わるが、両者の力の大きさを比較すると、第２のスクリーン７に加わる縮む力の方が大きい。そのため、組み立て後に温度、湿度の環境が常温常湿より低くなっても、相対的に低剛性のスクリーン７にしわが寄ったり、セパレーションが生じたりすることがない。
【００６８】
なお、以上に説明した実施の形態４では、透過形スクリーンが２枚のスクリーンからなる背面投写型表示装置について説明したが、透過形スクリーンを一枚のスクリーンだけで構成した場合、或いは３枚以上のスクリーンで構成した場合でも、同様の効果が得られる。
【００６９】
実施の形態５．
実施の形態４では、第１のスクリーン６と第２のスクリーン７とが、高温又は／且つ高湿の雰囲気に曝されて、伸長した状態にて互いに固定した。これに対して、実施の形態５では、相対的に低剛性の第２のスクリーン７の膨張係数βが、相対的に高剛性である第１のスクリーン６の膨張係数αより小さい（β＜α）場合に、これらのスクリーン６、７を低温又は／且つ低湿中にて互いに固定手段９により固定することによって、実施の形態３のものと同様の効果を得るようにしている。
【００７０】
図５は、実施の形態５の背面投写型表示装置における透過形スクリーンの取り付け方法を示す概念図である。同図（ａ）に示すように、低温又は／且つ低湿に保った定温定湿槽８内であらかじめ、相対的に低剛性のスクリーン７と、相対的に高剛性のスクリーン６とを、所定の時間だけ低温又は／且つ低湿の雰囲気に曝しておく。すると、相対的に高剛性のスクリーン６も、相対的に低剛性のスクリーン７も、温度と湿度の下降に応じて収縮している。この時、第１のスクリーン６の膨張係数αと、第２のスクリーン７の膨張係数βとが
α＞β
の関係にあれば、相対的に高剛性のスクリーン６の方がより収縮した状態になっている。そこで、所望の縮み量になった時に、この定温定湿槽８内で各スクリーン６、７を互いに固定手段９により固定する。
【００７１】
その後、互いに固定された状態のスクリーン６、７を定温定湿槽８から取り出すと、第１、第２のスクリーンが常温常湿に戻り安定する過程で、図５（ｂ）に矢印で示すように、共に伸びる方向の力が加わる。しかし、両者の力の大きさを比較すると、相対的に高剛性のスクリーン６の膨張係数が大きく、より収縮していたことから、この第１のスクリーン６に加わる伸びる力の方が大きい。そのため、常温常湿に戻した時には、高剛性の第１のスクリーン６から、相対的に低剛性のスクリーン７を外側に引っ張る方向に常にテンションが加わえられる。その結果、相対的に低剛性の第２のスクリーン７にしわが寄らず、或いは透過形スクリーンの一部分に、或いは全体的にセパレーションが生じたりすることがなくなって、映像の劣化の少ない背面投写型表示装置が得られる。
【００７２】
また、実施の形態５の背面投写型表示装置は、第２のスクリーン８が常温常湿に戻った初期時点だけでなく、その後の環境が変化した場合においても、映像の劣化の少ない透過形スクリーンとして維持されるという利点を有している。
【００７３】
図５（ｃ）には、その後の透過形スクリーンの温度、湿度が常温常湿より高くなった場合の、第１、第２のスクリーンに働く力を示している。このように環境が変化すると、相対的に低剛性である第２のスクリーン７、相対的に高剛性である第１のスクリーン６には、共に伸びる方向に更に大きな力が加わるが、両者の力の大きさを比較すると、第１のスクリーン６に加わる伸びる力の方が大きい。そのため、組み立て後に温度、湿度の環境が常温常湿より高くなっても、相対的に低剛性のスクリーン７にしわが寄ったり、セパレーションが生じたりすることがない。
【００７４】
図５（ｄ）には、その後の透過形スクリーンの温度、湿度が少し低くなった場合の、第１、第２のスクリーンに働く力を示している。このように環境が変化すると、相対的に高剛性である第１のスクリーン６は、まだ伸びる方向に力が加わるが、相対的に低剛性である第２のスクリーン７には殆ど力が加わらない。そのため、温度、湿度の環境が常温常湿より少しだけ低くなっても、相対的に低剛性のスクリーン７にしわが寄ったり、セパレーションが生じたりすることがない。
【００７５】
以上に説明した実施の形態５では、透過形スクリーンが２枚のスクリーンからなる背面投写型表示装置について説明したが、透過形スクリーンを一枚のスクリーンだけで構成した場合、或いは３枚以上のスクリーンで構成した場合でも、同様の効果が得られる。
【００７６】
実施の形態６．
実施の形態６には、実施の形態１〜５に示す透過形スクリーンのいずれかにおいて、第１のスクリーン６と、第２のスクリーン７とを一体に固定するための固定手段９について示されている。
【００７７】
図６（ａ）乃至（ｆ）は、それぞれ固定手段９の一例を拡大して示す図である。
【００７８】
図６（ａ）には、スクリーン６、７を互いに所定の間隔を保って固定する場合に、その有効画面外において、互いに両面テープ１０で貼り合わせる方法を示している。両面テープ１０に代えて、接着剤１２で接着することも可能である。
【００７９】
また、スクリーン６、７を互いに密着させて固定する場合には、図６（ｂ）に示すように、スクリーンの有効画面外において、外側をテープ１１で覆うように貼ることもできる。テープ１１を使用せずに、スクリーンの有効画面外において、互いのスクリーン６、７を部分的に溶かして溶着することも可能である。
【００８０】
また、図６（ｃ）には、スクリーンの有効画面外において、固定すべき一方のスクリーン７に凸部７ａを、もう一方のスクリーン６には該凸部７ａに嵌合する凹部６ａを設けて、両者を嵌合によって固定する方法を示している。図は、スクリーン６、７を互いに密着させて固定した場合を示しているが、凸部７ａの高さを凹部６ａの深さより高く形成することで、スクリーン６、７を互いに所定の間隔を保って固定できる。
【００８１】
図６（ｄ）には、スクリーンの有効画面外において、それぞれスクリーン７、６の互いに接合しない面に２個の凸部７ｂ，７ｃ、６ｂ，６ｃを設け、断面がコの字形状の治具１３の端部をこれら２個の凸部の間にそれぞれ挿入して引っかけることによって固定する方法を示している。また、凸部７ｂ，７ｃ、６ｂ，６ｃに代えて、図６（ｅ）に示すような凹部７ｄ、６ｄを形成したものであってもよい。
【００８２】
図６（ｆ）の透過形スクリーンでは、スクリーンの有効画面外において、スクリーン７、６の複数位置に、それぞれ対応する穴７ｅ、６ｅを設けて、互いにネジ１４などによって固定している。また、リベットのようなものを用い、かしめることによりスクリーンを固定することもできる。さらに、金属製のリベットではなく、引掛けのための頭部をもったプラスチックの丸棒をスクリーンの一方側から穴７ｅ、６ｅに挿入して、スクリーンの他方側に突き出た棒状部分を溶かしたり、受け部材で固定することも可能である。
【００８３】
以上述べたような各種の固定手段９により、それぞれスクリーン６、７の上下２辺、左右２辺、又は４辺を固定することによって、相対的に低剛性である第２のスクリーン７に、しわやセパレーションが発生することを効果的に防止でき、映像の劣化の少ない透過形スクリーンが得られる。
【００８４】
なお、上記各例において、透過形スクリーン２を構成する第１、第２のスクリーン６、７は、それぞれフレネルレンズシートとレンチキュラーレンズシートであり、これらは同じ厚みのシートとして図示されているが、図１１に示すように、２枚のスクリーンのうち、少なくとも相対的に低剛性の一枚はフィルム状のシートからなるものである。また、ここでは透過形スクリーンが２枚のスクリーン６、７からなる背面投写型表示装置について説明したが、３枚以上からなる場合でも、上述した各種の固定手段のいずれかによって同様の効果が得られる。
【００８５】
実施の形態７．
実施の形態１乃至６では、図１に示すように、互いに固定した第１、第２のスクリーン６、７を共通の保持部材５で保持していた。ここで、保持部材５とは、例えばスクリーンフレームや背面投写型表示装置のキャビネットである。
【００８６】
実施の形態７の背面投写型表示装置は、透過形スクリーンを構成するそれぞれのスクリーン６、７を別個の保持手段によって固定して保持するものである。すなわち、例えば第１のスクリーン６をキャビネットに固定し、第２のスクリーン７をキャビネットに装着されるスクリーンフレームに固定して保持することが可能である。
【００８７】
実施の形態２では、図３に示すように、収縮した状態の第１のスクリーン６に、相対的に低剛性である第２のスクリーン７を固定するために、第１のスクリーン６を低温又は／且つ低湿に保った定温定湿槽８にあらかじめ曝していた。
【００８８】
この実施の形態７では、第２のスクリーン７に対して相対的に高剛性であるスクリーンフレームを用意し、このスクリーンフレームを低温又は／且つ低湿に保った定温定湿槽８にあらかじめ曝してから、常温常湿内で相対的に低剛性のスクリーン７を固定するようにしている。低温又は／且つ低湿の雰囲気に曝すことで収縮した状態のスクリーンフレームに、常温常湿内で相対的に低剛性のスクリーン７を固定すれば、このスクリーンフレームから第２のスクリーン７に対して外側に引っ張る方向の相対的なテンションが常に加わえられることになる。
【００８９】
したがって、収縮した状態の保持部材によって相対的に低剛性の第２のスクリーン７を固定して保持する場合でも、実施の形態２の背面投写型表示装置と同様に、相対的に低剛性のスクリーンにしわが寄ったり、セパレーションが生じたりすることがない。
【００９０】
また、実施の形態３の背面投写型表示装置のように、あらかじめ定温定湿槽８において、相対的に低剛性である第２のスクリーン７を高温又は／且つ高湿の雰囲気に曝して伸長した状態で、収縮した状態のスクリーンフレームに固定した場合でも、同様の効果が得られる。
【００９１】
なお、ここでは透過形スクリーンが２枚のスクリーン６、７からなる背面投写型表示装置について説明したが、透過形スクリーンを一枚のスクリーンだけで構成した場合、或いは３枚以上のスクリーンで構成した場合でも、同様の効果が得られる。
【００９２】
実施の形態８．
実施の形態４では、相対的に低剛性のスクリーン７の膨張係数が、相対的に高剛性のスクリーン６の膨張係数より大きい場合に、２枚のスクリーン６、７を高温又は／且つ高湿中で互いに固定していた。
【００９３】
実施の形態８では、相対的に低剛性である第２のスクリーン７の膨張係数が、保持部材であるスクリーンフレームの膨張係数より大きい場合に、この第２のスクリーン７をスクリーンフレームによって、高温又は／且つ高湿中で固定して保持するようにしている。したがって、実施の形態４と同様に、相対的に低剛性のスクリーン７にしわが寄らず、或いは透過形スクリーンの一部分に、或いは全体的にセパレーションが生じたりすることがなくなって、映像の劣化の少ない背面投写型表示装置が得られる。
【００９４】
なお、ここでは透過形スクリーンが一枚のスクリーンからなる背面投写型表示装置について説明したが、２枚以上からなる場合も同様の効果が得られる。
【００９５】
実施の形態９．
実施の形態５では、相対的に低剛性のスクリーン７の膨張係数が、相対的に高剛性のスクリーン６の膨張係数より小さい場合に、２枚のスクリーン６、７を低温又は／且つ低湿中で互いに固定していた。
【００９６】
実施の形態９では、相対的に低剛性である第２のスクリーン７の膨張係数が、保持部材であるスクリーンフレームの膨張係数より小さい場合に、この第２のスクリーン７をスクリーンフレームによって、低温又は／且つ低湿中で固定して保持するようにしている。したがって、実施の形態５と同様に、相対的に低剛性のスクリーン７にしわが寄らず、或いは透過形スクリーンの一部分に、或いは全体的にセパレーションが生じたりすることがなくなって、映像の劣化の少ない背面投写型表示装置が得られる。
【００９７】
なお、ここでは透過形スクリーンが一枚のスクリーンからなる背面投写型表示装置について説明したが、２枚以上からなる場合も同様の効果が得られる。
【００９８】
実施の形態１０．
実施の形態１０は、実施の形態７〜９の背面投写型表示装置のいずれかにおいて、第２のスクリーン７をスクリーンフレーム５１に固定して保持するための固定手段９１である。
【００９９】
図７（ａ）乃至（ｆ）は、それぞれ固定手段９１の一例を拡大して示す図である。
【０１００】
図７（ａ）には、例えばスクリーンフレーム５１の４辺の各内側面に第２のスクリーン７の有効画面外の部分を押しあてて、それらを両面テープ２０で互いに貼り付ける方法を示している。両面テープ２０に代えて、接着剤２２で接着することも可能である。また、第２のスクリーン７の有効画面外において、スクリーンフレーム５１との接合面を部分的に溶かして、両者を溶着してもよい。
【０１０１】
図７（ｂ）には、第２のスクリーン７の有効画面外に凹部７ｆ（凸部でもよい。）、スクリーンフレーム５１の対応する箇所に凸部５１ａ（凹部でもよい。）を形成して、両者を嵌合によって固定する方法を示している。
【０１０２】
図７（ｃ）には、第２のスクリーン７の有効画面外であって、スクリーン７がスクリーンフレーム５１と接しない側に、２個の凸部７ｆ、７ｇを設け、断面がＬの字形状の治具２１をスクリーンフレーム５１側から２個の凸部７ｆ、７ｇの間に挿入して引っかけることによって固定する方法を示している。また、凸部７ｆ、７ｇに代えて、図６（ｄ）に示すような凹部７ｈを形成したものであってもよい。
【０１０３】
図７（ｅ）の透過形スクリーンでは、第２のスクリーン７の有効画面外において、スクリーン７の複数位置に穴７ｉを設けて、スクリーンフレーム５１にネジ２３などによって固定している。また、リベットのようなものを用いて、かしめることによりスクリーン７をスクリーンフレーム５１に固定することもできる。さらに、プラスチックの丸棒をスクリーンフレーム５１側から突き出すように形成して、スクリーン７側の穴７ｉに挿入して、その先端部分を溶かしたり、受け部材で固定することも可能である。
【０１０４】
さらに、図７（ｆ）に示すように、第２のスクリーン７の有効画面外において、スクリーン７の複数位置に穴７ｉを設けて、これらの穴７ｉにスプリングや板ばね等からなる弾性治具２４を引っかけることで、スクリーンフレーム５１に第２のスクリーン７を固定することもできる。
【０１０５】
以上述べたような各種の固定手段９１により、スクリーン７の上下２辺、左右２辺、又は４辺をスクリーンフレーム５１に固定して保持することができる。したがって、相対的に低剛性である第２のスクリーン７に、しわやセパレーションが発生することを効果的に防止でき、映像の劣化の少ない透過形スクリーンが得られる。
【０１０６】
なお、上記各例において、透過形スクリーン２を１枚のスクリーン７から構成する場合について説明したが、２枚以上のスクリーンからなる透過形スクリーン２を固定する場合にも、同様の固定手段９１を用いることで、同様の効果が得られる。また、透過形スクリーンを構成する２枚のスクリーンを別個の保持手段によって固定して保持してもよい。
【０１０７】
実施の形態１１．
実施の形態１１の背面投写型表示装置では、あらかじめ定温定湿槽において、相対的に低剛性のスクリーンを高温又は／且つ高湿に曝して伸長した状態とし、且つ、相対的に高剛性の保持部材を低温又は／且つ低湿の雰囲気に曝し、常温常湿内で伸長した状態のスクリーンを、保持部材により固定して保持するようにしている。したがって、実施の形態７〜９と同様に、保持部材により固定された相対的に低剛性のスクリーンにしわが寄ったり、セパレーションが生じたりすることがない。
【０１０８】
なお、ここでは透過形スクリーンが１枚のスクリーンからなる場合について説明したが、実施の形態１〜５で説明したような２枚や３枚以上からなる透過形スクリーンの場合でも、同様の効果が得られる。
【０１０９】
実施の形態１２．
実施の形態１２の背面投写型表示装置では、あらかじめ定温定湿槽において、相対的に低剛性のスクリーンと相対的に高剛性のスクリーンとを、高温又は／且つ高湿の雰囲気内で互いに固定し、更に、あらかじめ低温又は／且つ低湿の雰囲気に曝された保持部材によって、常温常湿内で固定して保持している。したがって、相対的に低剛性のスクリーン７にしわが寄ったり、セパレーションが生じたりすることがない。
【０１１０】
なお、この背面投写型表示装置は、実施の形態１〜５で説明した透過形スクリーンのように２枚のスクリーンからなる透過形スクリーンのいずれにも適用でき、また、透過形スクリーンが３枚以上からなる場合でも、同様の効果が得られる。
【０１１１】
実施の形態１３．
実施の形態１３は、実施の形態１〜１２のいずれかにおいて、透過形スクリーン２を構成するスクリーンの内、少なくとも一枚をフィルム状のスクリーンとした。スクリーン内で発生する迷光の影響を少なくしながら、しわやセパレーションの発生を効果的に防止できるため、より映像の劣化の少ない透過形スクリーンが得られる。
【０１１２】
【発明の効果】
請求項１の透過形スクリーンによれば、高温又は／且つ高湿中に曝した相対的に低剛性のスクリーンを、常温常湿中で相対的に高剛性のスクリーンに固定しているので、相対的に低剛性のスクリーンにしわが寄ったり、セパレーションが生じたりすることが無く、映像の劣化の少ない透過形スクリーンが得られる。
【０１１３】
また、請求項２の透過形スクリーンによれば、低温又は／且つ低湿中に曝した相対的に高剛性のスクリーンを、常温常湿中で相対的に低剛性のスクリーンを固定しているので、相対的に低剛性のスクリーンにしわが寄ったり、セパレーションが生じたりすることが無く、映像の劣化の少ない透過形スクリーンが得られる。
【０１１４】
また、請求項３の透過形スクリーンによれば、低温又は／且つ低湿中にて収縮した状態の、相対的に高剛性の第１のスクリーンと、高温又は／且つ高湿中にて伸長した状態の、相対的に低剛性の第２のスクリーンとを、互いに固定しているので、相対的に低剛性のスクリーンにしわが寄ったり、セパレーションが生じたりすることが無く、映像の劣化の少ない透過形スクリーンが得られる。
【０１１５】
また、請求項４の透過形スクリーンによれば、相対的に低剛性のスクリーンの膨張係数が、相対的に高剛性のスクリーンの膨張係数より大きい場合に、上記スクリーンを高温又は／且つ高湿中で互いに固定しているので、相対的に低剛性のスクリーンにしわが寄ったり、セパレーションが生じたりすることが無く、映像の劣化の少ない透過形スクリーンが得られる。
【０１１６】
また、請求項５の透過形スクリーンによれば、相対的に低剛性のスクリーンの膨張係数が、相対的に高剛性のスクリーンの膨張係数より小さい場合に、上記スクリーンを低温又は／且つ低湿中で互いに固定しているので、相対的に低剛性のスクリーンにしわが寄ったり、セパレーションが生じたりすることが無く、映像の劣化の少ない透過形スクリーンが得られる。
【０１１７】
さらに、請求項６の透過形スクリーンによれば、相対的に低剛性のスクリーンを相対的に高剛性のスクリーンに、固定手段により上下２辺、左右２辺、又は４辺を固定したので、相対的に低剛性のスクリーンの、しわやセパレーションの発生を効果的に防止できるため、映像の劣化の少ない透過形スクリーンが得られる。
【０１１８】
また、請求項７の透過形スクリーンによれば、透過形スクリーンを構成するスクリーンは、一方がフレネルレンズシート、他方がレンチキュラーレンズシートであって、そのうちの少なくとも一枚をフィルム状のスクリーンとした場合でも、スクリーン内で発生する迷光の影響を少なくしながら、しわやセパレーションの発生を効果的に防止できるため、より映像の劣化の少ない透過形スクリーンが得られる。
【０１１９】
請求項８の投写型表示装置によれば、高温又は／且つ高湿中に曝した相対的に低剛性のスクリーンを、常温常湿中で相対的に高剛性のスクリーン保持手段に固定しているので、相対的に低剛性のスクリーンにしわが寄ったり、セパレーションが生じたりすることが無く、映像の劣化の少ない透過形スクリーンが得られる。
【０１２０】
また、請求項９の投写型表示装置によれば、低温又は／且つ低湿中に曝した保持手段によって、常温常湿中で透過形スクリーンを構成する、相対的に低剛性のスクリーンを固定して保持したので、相対的に低剛性のスクリーンにしわが寄ったり、セパレーションが生じたりすることが無く、映像の劣化の少ない投写型表示装置が得られる。
【０１２１】
また、請求項１０の投写型表示装置によれば、低温又は／且つ低湿中にて収縮した状態の、相対的に高剛性のスクリーン保持手段と、高温又は／且つ高湿中にて伸長した状態の、相対的に低剛性のスクリーンとを、互いに固定しているので、相対的に低剛性のスクリーンにしわが寄ったり、セパレーションが生じたりすることが無く、映像の劣化の少ない透過形スクリーンが得られる。
【０１２２】
また、請求項１１の投写型表示装置によれば、相対的に低剛性のスクリーンの膨張係数が、保持部材の膨張係数より大きい場合に、上記スクリーンを上記保持部材に高温又は／且つ高湿中で固定しているので、相対的に低剛性のスクリーンにしわが寄ったり、セパレーションが生じたりすることが無く、映像の劣化の少ない投写型表示装置が得られる。
【０１２３】
また、請求項１２の投写型表示装置によれば、相対的に低剛性のスクリーンの膨張係数が、保持部材の膨張係数より小さい場合に、上記スクリーンを上記保持部材に低温又は／且つ低湿中で固定しているので、相対的に低剛性のスクリーンにしわが寄ったり、セパレーションが生じたりすることが無く、映像の劣化の少ない投写型表示装置が得られる。
【０１２４】
また、請求項１３の投写型表示装置によれば、固定手段によって、相対的に低剛性のスクリーンをスクリーン保持手段に対して、上下２辺、左右２辺、又は４辺で固定して、相対的に低剛性のスクリーンの、しわやセパレーションの発生を効果的に防止できるため、映像の劣化の少ない透過形スクリーンが得られる。
【０１２５】
また、請求項１４乃至１８の投写型表示装置によれば、請求項１乃至７に記載の透過形スクリーンに対して、更に、スクリーン保持手段によって固定して保持することによって、相対的に低剛性のスクリーンにしわが寄ったり、セパレーションが生じたりすることが無く、映像の劣化の少ない透過形スクリーンが得られる。
【０１２６】
また、請求項１９の投写型表示装置によれば、固定手段によって、相対的に低剛性のスクリーンをスクリーン保持手段に対して、上下２辺、左右２辺、又は４辺で固定して、相対的に低剛性のスクリーンの、しわやセパレーションの発生を効果的に防止できるため、映像の劣化の少ない透過形スクリーンが得られる。
【０１２７】
また、請求項２０の投写型表示装置によれば、透過形スクリーンを構成するスクリーンの内、少なくとも１枚をフィルム状のスクリーンとして、スクリーン内で発生する迷光の影響を少なくしながら、しわやセパレーションの発生を効果的に防止できるため、より映像の劣化の少ない透過形スクリーンが得られる。
【図面の簡単な説明】
【図１】この発明の実施の形態１による透過形スクリーンを用いた背面投写型表示装置の基本構成を示す垂直断面図である。
【図２】この発明の実施の形態１による透過形スクリーンの取り付け方法を示す概念図である。
【図３】この発明の実施の形態２による透過形スクリーンの取り付け方法を示す概念図である。
【図４】この発明の実施の形態４による透過形スクリーンの取り付け方法を示す概念図である。
【図５】この発明の実施の形態５による透過形スクリーンの取り付け方法を示す概念図である。
【図６】この発明の実施の形態６による透過形スクリーンの固定手段を示す概略図である。
【図７】この発明の実施の形態１０による透過形スクリーンの固定手段を示す概略図である。
【図８】従来の透過形スクリーンを用いた背面投写型表示装置の基本構成を示す垂直断面図である。
【図９】図８中の線ａ−ａ′で切った水平断面の一部の図である。
【図１０】フレネルレンズシート３の厚さが厚い場合の迷光の影響を説明するための図である。
【図１１】フレネルレンズシート３の厚さが薄い合の迷光の影響を説明するための図である。
【符号の説明】
１  映像発生源、  ２  透過形スクリーン、  ５  保持部材、  ６  相対的に高剛性のスクリーン（第１のスクリーン）、  ７  相対的に低剛性のスクリーン（第２のスクリーン）、  ８  定温定湿槽、  ９  固定手段。
【図１】
0003587676.tif 000002
【図２】
0003587676.tif 000003
【図３】
0003587676.tif 000004
【図４】
0003587676.tif 000005
【図５】
0003587676.tif 000006
【図６】
0003587676.tif 000007
【図７】
0003587676.tif 000008
【図８】
0003587676.tif 000009
【図９】
0003587676.tif 000010
【図１０】
0003587676.tif 000011
【図１１】
0003587676.tif 000012